(57)【要約】【課題】ハードタイプで上部開口式のリバーシブルバッグを提供する。【解決手段】前板部材（１０）と後板部材（２０）と、可曲性の底面（１２）と、一対の可曲性側面（１３，１３）とで上部が開口したカバン本体部（１００）を形成する。上記側面（１３，１３）には、上端から下端近くに達するスライドファスナー（１５，１５）を設け、スライドファスナー（１５）には外側と内側との双方から操作することのできる摘み（１８）を有したスライダー（１６）を設け、このスライダー（１６）を引き下げることで該スライドファスナー（１５）の噛合が解かれて前記可曲性側面（１３，１３）が夫々縦二分割状態となるようになす。さらに、上記前板部材（１０）と後板部材（２０）との側辺上部には、上記前板部材（１０）と後板部材（２０）とを着脱可能に連結する連結具（３０，３０）を設けてなる。【選択図】      図１
2004254949.tif 000002
【特許請求の範囲】
【請求項１】
前板部材（１０）と後板部材（２０）と、この前板部材（１０）と後板部材（２０）との両下辺間を連結する可曲性の底面（１２）と、上記前板部材（１０）と後板部材（２０）との左右側辺間を夫々連結する一対の可曲性側面（１３，１３）とで上部が開口したカバン本体部（１００）を形成し、
上記可曲性側面（１３，１３）には、その上端から下端近くに達するスライドファスナー（１５，１５）を設け、このスライドファスナー（１５）にはカバン本体部（１００）の外側と内側との双方から操作することのできる摘み（１８）を有したスライダー（１６）を設け、このスライダー（１６）を引き下げることで該スライドファスナー（１５）の噛合が解かれて前記可曲性側面（１３，１３）が夫々縦二分割状態となるようになし、
さらに、上記前板部材（１０）と後板部材（２０）との側辺上部には、上記前板部材（１０）と後板部材（２０）とを着脱可能に連結する連結具（３０，３０）を設けてなるリバーシブルバッグ。
【請求項２】
外面側が天然皮革または天然皮革類似生地材（１１）で構成し、内面側が防水性または撥水性生地（１２ｂ，１２ｃ）で構成した前板部材（１０）と、外面側が天然皮革または天然皮革類似生地材（１１）で構成し、内面側が防水性または撥水性生地（１２ｂ，１２ｃ）で構成した後板部材（２０）と、この前板部材（１０）と後板部材（２０）との両下辺間を連結する、同じく外面側が天然皮革または天然皮革類似生地材（１１）で構成し、内面側が防水性または撥水性生地（１２ｂ，１２ｃ）で構成した可曲性の底面（１２）と、上記前板部材（１０）と後板部材（２０）との左右側辺間を夫々連結する一対の可曲性側面（１３，１３）とで上部が開口したカバン本体部（１００）を形成し、
上記可曲性側面（１３，１３）には、外面側が天然皮革または天然皮革類似生地材（１１）で構成し、内面側が防水性または撥水性生地（１２ｂ，１２ｃ）で構成するとともに、その上端から下端近くに達するスライドファスナー（１５，１５）を設け、このスライドファスナー（１５，１５）にはカバン本体部（１００）の外側と内側との双方から操作することのできる摘み（１８）を有したスライダー（１６）を設け、このスライダー（１６）を引き下げることで該スライドファスナー（１５、１５）の噛合が解かれて前記可曲性側面（１３，１３）が夫々縦二分割状態となるようになし、
さらに、上記前板部材（１０）と後板部材（２０）との側辺上部には、前板部材（１０）と後板部材（２０）とを着脱可能に連結する連結具（３０，３０）を、設けてなるリバーシブルバッグ。
【請求項３】
外面側が天然皮革または天然皮革類似生地材（１１）で構成した前板部材（１０）の、内面側に内面が防水性または撥水性生地材（１２ｂ、１２ｃ）で構成した内仕切り板（１４）を対設して、この前板部材（１０）と内仕切り板（１４）と前板側収納部（１０ａ）を構成し、この前板側収納部（１０ａ）には、上部開口部を開閉するスラドファスナー（１５ａ）を設け、
外面側が天然皮革または天然皮革類似生地材（１１）で構成した後板部材（２０）の、内面側に内面が防水性または撥水性生地材（１２ｂ，１２ｃ）で構成した内仕切り板（１４）を対設して、この後板部材（２０）と内仕切り板（１４）とで後板側収納部（２０ａ）を構成し、この後板側収納部（２０ａ）には、上部開口部を開閉するスラドファスナー（１５ａ）を設け、
上記前板側収納部（１０ａ）と後板側収納部（２０ａ）との下辺を連結する、同じく外面側が天然皮革または天然皮革類似生地材（１１）で構成し、内面側が防水性または撥水性生地（１２ｂ）で構成した可曲性の底面（１２）と、上記前板部材（１０）と後板部材（２０）との左右側辺間を夫々連結する一対の可曲性側面（１３，１３）とで上部が開口したカバン本体部（１００）を形成し、
上記可曲性側面（１３，１３）は、外面側が天然皮革または天然皮革類似生地材（１１）で構成し、内面側が防水性または撥水性生地（１２ｂ、１２ｃ）で構成するとともに、その上端から下端近くに達するスライドファスナー（１５，１５）を設け、このスライドファスナー（１５，１５）にはカバン本体部（１００）の外側と内側との双方から操作することのできる摘み（１８）を有したスライダー（１６）を設け、このスライダー（１６）を引き下げることで該スライドファスナー（１５，１５）の噛合が解かれて前記可曲性側面（１３，１３）が夫々縦二分割状態となるようになし、
さらに、上記前板部材（１０）と後板部材（２０）との側辺上部には、前板部材（１０）と後板部材（２０）とを着脱可能に連結する連結具（３０，３０）を、前期可曲性側面（１３，１３）の内側に設けてなるリバーシブルバッグ。
【発明の詳細な説明】
【０００１】
【発明の属する技術分野】
本発明は、リバーシブルバッグに関するもので、特に、ビジネスバッグに適したリバーシブルバッグに関するものである。
【０００２】
【従来の技術】
従来、リバーシブルバッグは、裏返すことで、意匠が変化して、意匠的に別のバッグとして使用できるようになしたものと、裏返すとポケット等の配置が変化して異なる機能を有したバッグとして使用できるものとがある。
【０００３】
なお、従来のリバーシブルバッグは全体を可曲性の柔軟生地で袋状に構成した特許文献１のような構成が主流であるが、この種の袋状のリムーバブルバッグは書類等を収納して持ち歩く、（ブリーフケース等と称されている。）ビジネス用には向かない（書類等がバッグと共に、曲がったり折れたりすることがあるため。）という問題点を有している。
【０００４】
そして、近時は、前後両面が比較的硬い材質で構成されたリバーシブルバッグも提案され、その代表的な構成は、特許文献２に示されるように、比較的硬質な前板と後板とを平行に対設し、この、底辺と両側辺とを可曲性の底面と両側面とで連結し、両側面は、その上端から下端近くまでをスライドファスナーの着脱で縦二分割状に分割・連結が可能となしてある。なお、この特許文献２の例では、前板と後板との上辺間を蓋面で連結し、この蓋面にも前期スライドファスナーと連通するスライドファスナーで二分割可能となしてあるが、この、スライドファスナーを蓋面にまで延設したのは、次にも述べるように、スライドファスナーが不用意に開いてしまうのを防ぐためである。
【０００５】
従って、特許文献２には、正確には前後両面が比較的硬い材質で構成するとは記載されてはいないが、この種のリバーシブルバッグによると、所謂、ハードタイプのリバーシブルバッグが実現可能で、前板と後板との間に収納容積の大きい主収納部を構成できるが、この主収納部の両側面に、図１に示すように縦方向にスライドファスナーを配すると、使用中に、このスライドファスナーが不用意に開いてしまうことがあり得るという問題点を有している。
【０００６】
なお、主収納部に多くの収納物を収容し、前板と後板とを押し広げる方向の力が加わると、この力が上記スライドファスナーを開く力となるので、主収納部に、着替え等の容積の大きいものを押し込むとスライドファスナーが不用意に開いてしまうことが多いものである。この問題点は、前記もしたように、特許文献２に示される蓋面（特許文献２では本体側壁部１２）を設け、この蓋面にまで該スライドファスナーを延設することで、ほぼ満足できる程度に解決できるが、カバン本体部１００にスライドファスナーを有した蓋面を設けると、収納物の出し入れが煩雑となるという問題点が生じ、さらに、この主収納部には比較的大判のファイル等をその一部開口部上方に突出させて収納することが多いので、上部開口式の収納部を用意することが望まれ、この上部開口より収納物を多少突出させて収納する使用法も許容されることが望まれている。
【０００７】
【特許文献１】特開平７−１１１９１０号公報
【特許文献２】特開２０００−３４２３１７号公報
【０００８】
【発明が解決しようとする課題】
そこで、本発明は、上記の問題点に鑑みなされたもので、ハードタイプで上部開口式のリバーシブルバッグを提供することを課題としたものである。
【０００９】
【課題を解決するための手段】
上記課題を達成するため本発明は、前板部材１０と後板部材２０と、この前板部材１０と後板部材２０との両下辺間を連結する可曲性の底面１２と、上記前板部材１０と後板部材２０との左右側辺間を夫々連結する一対の可曲性側面１３，１３とで上部が開口したカバン本体部１００を形成し、上記可曲性側面１３，１３には、その上端から下端近くに達するスライドファスナー１５，１５を設け、このスライドファスナー１５にはカバン本体部１００の外側と内側との双方から操作することのできる摘み１８を有したスライダー１６を設け、このスライダー１６を引き下げることで該スライドファスナー１５の噛合が解かれて前記可曲性側面１３，１３が夫々縦二分割状態となるようになし、さらに、上記前板部材１０と後板部材２０との側辺上部には、上記前板部材１０と後板部材２０とを着脱可能に連結する連結具３０，３０を設けてなる技術的手段を講じたものである。
【００１０】
それ故、本発明リバーシブルバッグは、両スライドファスナー１５，１５の噛合を外すと、両可曲性側面１３，１３は略縦二分割された状態となるので、前板部材１０と後板部材２０とを略同一平面上に広げることができるようになり、この平面的に展開した前板部材１０と後板部材２０とを底面１２で以前とは逆方向に折り曲げると、この前板部材１０と後板部材２０とは、内外が反転する作用を呈する。
【００１１】
そして、前板部材１０と後板部材２０とを反転したら、両スライドファスナー１５，１５を閉じると、可曲性側面１３，１３と底面１２とも内外反転した状態のカバン本体部１００が形成される作用を呈する。
【００１２】
また、本発明リバーシブルバッグは、両可曲性側面１３，１３をスライドファスナーで縦に分割することで、前板部材１０と後板部材２０とを底面で折り返してリバーシブル可能となしているので、該前板部材１０と後板部材２０とを曲がらない硬いものを使用しても内外反転することが可能となるものである。
【００１３】
また、本発明リバーシブルバッグは、前板部材１０と後板部材２０との側辺上部には、前板部材１０と後板部材２０とを着脱可能に連結する連結具３０，３０を設けてなるので、カバン本体部１００内に収納物を無理に詰め込んで、前板部材１０と後板部材２０とがふくらむようになしても、該前板部材１０と後板部材２０とは連結具３０，３０で連結されてその距離を変更不能となっているので、スライドファスナーのスライダー１６を図の下方に下げてスライドファスナー１５を開くように作用するのを防止できる作用を呈するものである。
【００１４】
次に、請求項２の発明は、外面側が天然皮革または天然皮革類似生地材１１で構成し、内面側が防水性または撥水性生地１２ｂ，１２ｃで構成した前板部材１０と、外面側が天然皮革または天然皮革類似生地材１１で構成し、内面側が防水性または撥水性生地１２ｂ，１２ｃで構成した後板部材２０と、この前板部材１０と後板部材２０との両下辺間を連結する、同じく外面側が天然皮革または天然皮革類似生地材１１で構成し、内面側が防水性または撥水性生地１２ｂ，１２ｃで構成した可曲性の底面１２と、上記前板部材１０と後板部材２０との左右側辺間を夫々連結する一対の可曲性側面１３，１３とで上部が開口したカバン本体部１００を形成し、上記可曲性側面１３，１３には、外面側が天然皮革または天然皮革類似生地材１１で構成し、内面側が防水性または撥水性生地１２ｂ，１２ｃで構成するとともに、その上端から下端近くに達するスライドファスナー１５，１５を設け、このスライドファスナー１５，１５にはカバン本体部１００の外側と内側との双方から操作することのできる摘み１８を有したスライダー１６を設け、このスライダー１６を引き下げることで該スライドファスナー１５、１５の噛合が解かれて前記可曲性側面１３，１３が夫々縦二分割状態となるようになし、さらに、上記前板部材１０と後板部材２０との側辺上部には、前板部材１０と後板部材２０とを着脱可能に連結する連結具３０，３０を設けてなるる技術的手段を講じたものである。
【００１５】
それ故、本発明リバーシブルバッグは、上記請求項１の作用に加え、外面側を天然皮革または天然皮革類似生地材で構成し、内面側を防水性または撥水性生地で構成したので、通常時は外面側を表にして、天然皮革等の豪華さを有した通常のビジネス用のカバンとして使用でき、雨天で外出する際は内外反転して防水性または撥水性生地を表にして、雨水が浸入しない雨天用の鞄として使用できる作用を呈するものである。
【００１６】
次に、請求項３の発明は、外面側が天然皮革または天然皮革類似生地材１１で構成した前板部材１０の、内面側に内面が防水性または撥水性生地材１２ｂ、１２ｃで構成した内仕切り板１４を対設して、この前板部材１０と内仕切り板１４と前板側収納部１０ａを構成し、この前板側収納部１０ａには、上部開口部を開閉するスラドファスナー１５ａを設け、外面側が天然皮革または天然皮革類似生地材１１で構成した後板部材２０の、内面側に内面が防水性または撥水性生地材１２ｂ，１２ｃで構成した内仕切り板１４を対設して、この後板部材２０と内仕切り板１４とで後板側収納部２０ａを構成し、この後板側収納部２０ａには、上部開口部を開閉するスラドファスナー１５ａを設け、上記前板側収納部１０ａと後板側収納部２０ａとの下辺を連結する、同じく外面側が天然皮革または天然皮革類似生地材１１で構成し、内面側が防水性または撥水性生地１２ｂで構成した可曲性の底面１２と、上記前板部材１０と後板部材２０との左右側辺間を夫々連結する一対の可曲性側面１３，１３とで上部が開口したカバン本体部１００を形成し、上記可曲性側面１３，１３は、外面側が天然皮革または天然皮革類似生地材１１で構成し、内面側が防水性または撥水性生地１２ｂ、１２ｃで構成するとともに、その上端から下端近くに達するスライドファスナー１５，１５を設け、このスライドファスナー１５，１５にはカバン本体部１００の外側と内側との双方から操作することのできる摘み１８を有したスライダー１６を設け、このスライダー１６を引き下げることで該スライドファスナー１５，１５の噛合が解かれて前記可曲性側面１３，１３が夫々縦二分割状態となるようになし、さらに、上記前板部材１０と後板部材２０との側辺上部には、前板部材１０と後板部材２０とを着脱可能に連結する連結具３０，３０を、前期可曲性側面１３，１３の内側に設けてなる技術的手段を講じたものである。
【００１７】
それ故、本発明リバーシブルバッグは、上記請求項２の作用にさらに加えて、前板側収納部１０ａと後板側収納部２０ａとを設けたので、カバン本体部１００がこの前板側収納部１０ａと後板側収納部２０ａとで仕切られ、上部開口式の収納部と、その他にファスナー１５ａ、１５ａで開閉できる開口部を有した収納部とを設けることができるリバーシブルバッグを提供できる作用を呈するものである。
【００１８】
【実施例】
次に、本発明の実施例を添付図面を参照して詳細に説明する。図中、１００がカバン本体部で、前板部材１０と後板部材２０と、この前板部材１０と後板部材２０との下辺を連結する可曲性の底面１２と、上記前板部材１０と後板部材２０左右側辺間を夫々連結する一対の可曲性の側面１３，１３とで構成されてなる。上記前板部材１０と後板部材２０とは、従来と同様に、ボール紙、プラスチック板、ベニヤ板等の比較的硬質な芯材１４ａ，１４ａの外面に表生地（天然皮革又は天然皮革類似生地）１１を貼付して構成すればよい。なお、この芯材１４ａ，１４ａの内面にも表生地（天然皮革又は天然皮革類似生地）１１を貼付してもよく、または、芯材１４ａ、１４ａの内面には後記する防水性または撥水性生地１２ｂ等その他の内張材を貼付してもよいもので、リバーシブルで反転した際外面になる部位に防水性または撥水性生地１２ｂが位置するようになすのが望ましい。
【００１９】
そして、図示例では、上記前板部材１０と後板部材２０とには提手１９，１９が取り付けられて、手提げバッグとして使用できるようになしてある。なお、図では省略してあるが、上記前板部材１０と後板部材２０とにショルダーベルト連結用環を取り付けておいて、ショルダーバッグとしても使用可能となしてもよいのは無論で、このショルダーベルト連結用環は前板部材１０の長手方向一端（図手前側）と、後板部材２０の長手方向他端（図奧側）とにＤ型環等を取り付け、図示しないショルダーベルトの両端に取り付けた茄子環をこのショルダーベルト連結用環に着脱可能に連結するようになせばよい。なお、図示例では、後記する内仕切り板１４，１４を設けているので、この内仕切り板１４，１４に上記ショルダーベルト連結用環を取り付けても差し支えないものである。
【００２０】
そして、上記可曲性側面１３，１３には、その上端から下端近くに達するスライドファスナー１５を設け、このスライドファスナー１５にはカバン本体１００の外側と内側との双方から操作することのできる摘み１８を有したスライダー１６を設け、このスライダー１６を引き下げる（図下方にスライドさせる）ことで該スライドファスナー１５の噛合が解かれて前記可曲性側面１３，１３が夫々縦二分割状態となるようになしてある。
【００２１】
上記スライドファスナー１５は、可曲性側面１３，１３の上端中央部から下方に向けて切込を入れ、該可曲性側面１３，１３を縦二分割し、この切込に沿ってスライドファスナー１５を取り付け、このスライドファスナー１５の開閉で、可曲性側面１３，１３を縦二分割または、一体連結化できるようになしてある。なお、前記カバン本体１００の外側と内側との双方から操作することのできる摘み１８は、スライダー１６の内面側と外面側とに予め夫々別個の摘み１８，１８を設けて置いてもよいが、図示実施例では、スライダー１６のその外面側から図上方を通って内面側に至る断面Ｔ字状などのレール１７を逆Ｕ字状に折り曲げて設け、摘み１８はこのレール１７に係合した状態を保って該レール１７に案内されスライダーの外面側から内面側に移動できるようになしている。
【００２２】
さらに、本発明は、上記前板部材１０と後板部材２０との側辺上部には、前板部材１０と後板部材２０とを着脱可能に連結する連結具３０，３０を設けてなる。この連結具３０は従来公知なものを使用すればよく、図示例では、差し込み式の連結具３０を使用し、前板部材１０に一端を連結した帯体３１（織り布製帯等を利用）の自由端側に連結具本体を取り付け、後板部材２０に一端を連結した帯体３２の自由端側に前記連結具本体に着脱可能に連結できる差し込み体を取り付けてなるが、この連結具は、面ファスナー、ホック、尾錠等に代えて、従来公知な種々の連結具に代えても差し支えないのは無論である。
【００２３】
次に、請求項２の発明は、外面側が天然皮革または天然皮革類似生地材１１で構成し、内面側が防水性または撥水性生地１２ｂ，１２ｃで構成した前板部材１０と、外面側が天然皮革または天然皮革類似生地材１１で構成し、内面側が防水性または撥水性生地１２ｂ，１２ｃで構成した後板部材２０と、この前板部材１０と後板部材２０との両下辺間を連結する、同じく外面側が天然皮革または天然皮革類似生地材１１で構成し、内面側が防水性または撥水性生地１２ｂ，１２ｃで構成した可曲性の底面１２と、上記前板部材１０と後板部材２０との左右側辺間を夫々連結する一対の可曲性側面１３，１３とで上部が開口したカバン本体部１００を形成してある。
【００２４】
すなわち、本発明では、前板部材１０を外面側が天然皮革または天然皮革類似生地材１１で構成し、内面側が防水性または撥水性生地１２ｂ，１２ｃで構成してある。そして本発明では、底面１２と可曲性側面１３，１３をも、外面側が天然皮革または天然皮革類似生地材１１で構成し、内面側が防水性または撥水性生地１２ｂ，１２ｃで構成してある。この前板部材１０と後板部材２０とは、ボール紙、プラスチック板、ベニヤ板等の比較的硬質な芯材１４ａ，１４ａの外面に天然皮革または天然皮革類似生地表生地１１を貼付し、該芯材１４ａ，１４ａの内面には防水性または撥水性生地１２ｂを貼付して構成すればよいが、この防水性または撥水性生地１２ｂは芯材１４ａ，１４ａに直接貼付しなくてもよく、図示例では、前板部材１０に対設した内仕切り板１４の内面側に防水性または撥水性生地１２ｂを貼付してもよく、または、この内仕切り板１４の内面側に防水性または撥水性生地１２ｂで構成するポット２３を設けてもよいものである。
【００２５】
上記防水性または撥水性生地１２ｂは、雨水の侵入を防ぐもので、樹脂シートを使用したり、材質、織り方を工夫した防水性生地材を使用してもよく、または通常の布地に撥水又は防水加工したものを使用してもよいものである。
【００２６】
また、上記底面１２と上記可曲性側面１３，１３は、外面側が天然皮革または天然皮革類似生地材１１で構成し、内面側が防水性または撥水性生地１２ｂ，１２ｃ（符号１２ａと１２ｃとは同じ材質であってもよい）で二枚重ねに構成すればよい。
【００２７】
そして、上記可曲性側面１３，１３には、その上端から下端近くに達するスライドファスナー１５を設け、このスライドファスナー１５にはカバン本体１００の外側と内側との双方から操作することのできる摘み１８を有したスライダー１６を設け、このスライダー１６を引き下げることで該スライドファスナー１５の噛合が解かれて前記可曲性側面１３，１３が夫々縦二分割状態となるようになし、さらに、上記前板部材１０と後板部材２０との側辺上部には、前板部材１０と後板部材２０とを着脱可能に連結する連結具３０，３０を、設けてなるのは請求項１と同じ構成である。
【００２８】
そして、請求項３の発明は、外面側が天然皮革または天然皮革類似生地材１１で構成した前板部材１０の、内面側に内面が防水性または撥水性生地材１２ａで構成した内仕切り板１４を対設して、この前板部材１０と内仕切り板１４とで前板側収納部１０ａを設け、外面側が天然皮革または天然皮革類似生地材１１で構成した後板部材２０の、内面側に内面が防水性または撥水性生地材１２ａで構成した内仕切り板１４を対設して、この後板部材２０と内仕切り板１４とで後板側収納部２０ａを設け、上記前板部材１０と後板部材２０との下辺を連結する。同じく外面側が天然皮革または天然皮革類似生地材１１で構成し、内面側が防水性または撥水性生地１２ｂで構成した可曲性の底面１２と、上記前板部材１０と後板部材２０との左右側辺間を夫々連結する一対の可曲性側面１３，１３とで上部が開口したカバン本体部１００を形成してある。
【００２９】
すなわち、本発明は前板部材１０と後板部材２０とを単なる一枚の板状とするのではなく、上部開口にスライドファスナー１５，１５を有した、前板側収納部１０ａと、後板側収納部２０ａとで構成したものである。そして、上記可曲性側面１３，１３には、外面側が天然皮革または天然皮革類似生地材１１で構成し、内面側が防水性または撥水性生地１２ｂ，１２ｃで構成するとともに、その上端から下端近くに達するスライドファスナー１５を設け、このスライドファスナー１５にはカバン本体１００の外側と内側との双方から操作することのできる摘み１８を有したスライダー１６を設け、このスライダー１６を引き下げることで該スライドファスナー１５の噛合が解かれて前記可曲性側面１３，１３が夫々縦二分割状態となるようになし、さらに、上記前板部材１０と後板部材２０との側辺上部には、前板部材１０と後板部材２０とを着脱可能に連結する連結具３０，３０を、前記可曲性側面１３，１３の内側に設けてなるのは請求項２と同じ構成である。
【００３０】
【発明の効果】
本発明は上記のように、両可曲性側面１３，１３をスライドファスナー１５，１５で縦二分割可能となしたので、前板部材１０と後板部材２０とを硬質材で構成しても裏返せる、ハードタイプのリバーシブルバッグを提供できるものである。
【００３１】
また、本発明はカバン本体部１００を上部開口式としたので、ファイル等の一部を開口の上方に突出して収納でき、出し入れも容易なハードタイプのリバーシブルバッグを提供できるものである。
【００３２】
また、本発明は上記した上部開口式の、中央カバン本体部１００の両側に上部開口にスライドファスナー１５，１５を有した、前板側収納部１０ａと、後板側収納部２０ａとを配したので、収納物の区分収納が可能で、さらには、可曲性側面１３，１３の上端が両側上部に位置するも、連結具３０，３０を設けたので、この両側面に設けたスライドファスナー１５，１５が不用意に下がることのないハードタイプのリバーシブルバッグを提供できるものである。
【図面の簡単な説明】
【図１】本発明リバーシブルバッグの一実施例を示す縦断面図である。
【符号の説明】
１０    前板部材
１０ａ  前板側収納部
１１    天然皮革類似生地材
１２ａ  撥水性生地材
１２ｂ  撥水性生地
１３    可曲性側面
１３    撥水性生地材
１４    内仕切り板
１４ａ  芯材
１５    スライドファスナー
１６    スライダー
１８    摘み
２０    後板部材
２０ａ  後板側収納部
３０    連結具
１００  カバン本体部
【図１】
2004254949.tif 000003